(57)【要約】【課題】棒状アンテナが抜け落ちない移動体通信端末用アンテナのスイッチ切換用カム機構を提供すること。【解決手段】常時は筐体に収容されており該筐体から引き出して使用される棒状アンテナＷＡ、および前記筐体内に取付けられた状態で使用される内蔵アンテナＩＡを有し、前記棒状アンテナの収容時は前記内蔵アンテナが使用され、前記棒状アンテナを引出したり収納したりする際に、前記棒状アンテナの近傍に設けられた切換スイッチＳＷを操作することにより前記内蔵アンテナから前記棒状アンテナへの切換えを行う移動体通信端末用アンテナのスイッチ切換用カム機構の構造である。このカム機構は、棒状アンテナに装着され、かつ前記筐体と前記キャリアとの間に保持されるホルダＨＬと、貫通孔２０を有し、端面がカム面１２ａを構成するようにほぼリング状に形成されていて前記貫通孔を前記棒状アンテナが貫通した状態で前記ホルダに取付けられ、前記棒状アンテナの収容および引出し操作による該棒状アンテナの軸方向の移動に応じて前記カム面が前記切換スイッチと当接して切換動作させるカムＣＭと、をそなえる。【選択図】　図１
2004096367.tif 000002
【特許請求の範囲】
【請求項１】
常時は筐体に収容されており該筐体から引き出して使用される棒状アンテナ、および前記筐体内に取付けられた状態で使用される内蔵アンテナを有し、前記棒状アンテナの収容時は前記内蔵アンテナが使用され、前記棒状アンテナを引き出す際に該棒状アンテナに協働するカムによって前記棒状アンテナの近傍に設けられた切換スイッチを操作することにより前記内蔵アンテナから前記棒状アンテナに切換えられる移動体通信端末用アンテナのスイッチ切換用カム機構において、
前記棒状アンテナに装着され、かつ前記筐体と前記キャリアとの間に保持されるホルダと、
貫通孔を有し、端面がカム面を構成するようにほぼリング状に形成されていて前記貫通孔を前記棒状アンテナが貫通した状態で前記ホルダに取付けられ、前記棒状アンテナの収容および引出し操作による該棒状アンテナの軸方向の移動に応じて前記カム面が前記切換スイッチと当接して切換動作させるカムと、
をそなえたことを特徴とする移動体通信端末用アンテナのスイッチ切換用カム機構。
【請求項２】
請求項１記載の移動体通信端末用アンテナのスイッチ切換用カム機構において、
前記カムは、肉厚の厚い部分と薄い部分とを有し、
前記ホルダは、前記カムの肉厚の厚い部分が収容される開口部を有し、
前記カムの肉厚の厚い部分は、前記ホルダの前記開口部から露出するように前記ホルダ内に配され、前記カムは、前記ホルダ内を周方向に回転することなく前記ホルダの長手方向に移動するように構成された移動体通信端末用アンテナのスイッチ切換用カム機構。
【請求項３】
請求項１記載の移動体通信端末用アンテナのスイッチ切換用カム機構において、
前記カムは、前記カム面を構成する端面と、周方向に回転しないための向き規制面を構成する端面とを有する移動体通信端末用アンテナのスイッチ切換用カム機構。
【発明の詳細な説明】
【０００１】
【産業上の利用分野】
本発明は、移動体情報通信端末用アンテナに係り、とくに棒状アンテナと内蔵アンテナとを切換えるためのスイッチを操作する切換用カム機構に関する。
【０００２】
【従来の技術】
移動体情報通信端末の一例である携帯電話機では、筐体から出没させて使用する棒状アンテナと筐体内に収容して使用する内蔵アンテナとを切換使用する。
【０００３】
図７は、携帯電話機の肩部に設けられる棒状アンテナＷＡの出没に連動して内蔵アンテナとの切換を行う機構を示したものである。この図７において、筐体（図示せず）と、この筐体に設けられたボスにより回路基板ＰＢとともに支持されるキャリアＣＡとによって、想像線で示すホルダＨＬが抱持されている。そして、ホルダＨＬは、このホルダＨＬから延設されたチューブＴＵとともに棒状アンテナＷＡを保持する。
【０００４】
図８は、ホルダＨＬの形状を示したものである。図８に示すように、ホルダＨＬはフランジが付いたほぼ円筒状の部材であるが、その側部に開口が設けられており、この開口にカムＣＭの先端が入り込んでいる。棒状アンテナＷＡには、図示右方向にある端部にストッパと呼ばれる金具が設けられており、棒状アンテナＷＡを一杯に引き出すと、ストッパがカムＣＭに係合して図示左方向に押す。
【０００５】
これにより、カムＣＭは、図示左方向に押されて切換スイッチに設けられたカムフォロワＣＦを直角方向に押し、切換動作を行わせる。
【０００６】
【発明が解決しようとする課題】
ここにおいて、カムＣＭは、組立工程上、カムＣＭの側面から棒状アンテナＷＡを差し込めるように、棒状アンテナＷＡを挿入する穴に切欠き部が設けられている。
【０００７】
このため、棒状アンテナＷＡを過大な力で引き出して棒状アンテナＷＡの端部に設けたストッパがカムＣＭに強く当ると、カムＣＭの切欠き部が開いてストッパがカムＣＭから抜けてしまうことがある。
【０００８】
本発明は上述の点を考慮してなされたもので、棒状アンテナが抜け落ちない移動体通信端末用アンテナのスイッチ切換用カム機構を提供することを目的とする。
【０００９】
【課題を解決するための手段】
上記目的達成のため、本発明では、
常時は筐体に収容されており該筐体から引き出して使用される棒状アンテナ、および前記筐体内に取付けられた状態で使用される内蔵アンテナを有し、前記棒状アンテナの収容時は前記内蔵アンテナが使用され、前記棒状アンテナを引き出す際に該棒状アンテナに協働するカムによって前記棒状アンテナの近傍に設けられた切換スイッチを操作することにより前記内蔵アンテナから前記棒状アンテナに切換えられる移動体通信端末用アンテナのスイッチ切換用カム機構において、前記棒状アンテナに装着され、かつ前記筐体と前記キャリアとの間に保持されるホルダと、貫通孔を有し、端面がカム面を構成するようにほぼリング状に形成されていて前記貫通孔を前記棒状アンテナが貫通した状態で前記ホルダに取付けられ、前記棒状アンテナの収容および引出し操作による該棒状アンテナの軸方向の移動に応じて前記カム面が前記切換スイッチと当接して切換動作させるカムと、をそなえたことを特徴とする移動体通信端末用アンテナのスイッチ切換用カム機構、
を提供するものである。
【００１０】
【発明の実施の形態】
図１は、本発明の一実施例を組み立てる過程で棒状アンテナＷＡをホルダＨＬおよびカムＣＭに挿通した状態を示している。この場合、棒状アンテナＷＡは、図示右方向からホルダＨＬおよびカムＣＭの中心軸位置に向けて挿入される。そのために、カムＣＭは、ホルダＨＬ内に事前に組み込んでおく。
【００１１】
そして、アンテナトップ（図示せず）を装着しない棒状アンテナＷＡを、アンテナトップ側を先頭にしてホルダＨＬおよびカムＣＭの中心位置に差し込む。ホルダＨＬは、キャリアＣＲと図示しない筐体とにより保持されるとともに、キャリアＣＲがホルダＨＬと係合してホルダＨＬを長手方向に移動しないように固定する。なお、キャリアＣＲには、内蔵アンテナＩＡが設けられている。
【００１２】
図２は、図１の状態に続いて棒状アンテナＷＡを一杯に挿入したときの状態を示している。この状態では、棒状アンテナＷＡの端部に設けたストッパＳＴの最端部にあるリング状部がカムＣＭの図示右側端面を図示左方向に押すから、カムＣＭは図１の状態よりも図示左方向に移動している。そして、カム面によりカムフォロワＣＦをカムＣＭの運動方向とは直角方向に押す。
【００１３】
これにより、カムフォロワＣＦにより操作される切換スイッチ（図示せず）が切換動作を行って、それまで使用していた内蔵アンテナ（図示せず）に換えて棒状アンテナＷＡを回路に接続する。
【００１４】
図３は、図１および図２におけるホルダＨＬにカムＣＭを組み込む様子を示したものである。ホルダＨＬは、フランジ付きの円筒状であり、その軸とカムＣＭの軸とが一致するように、カムＣＭをホルダＨＬに挿入する。
【００１５】
次いで、ホルダＨＬの図示下方から軸方向に、棒状アンテナＷＡを延長部ＥＸを先頭にして差し込んで、ホルダＨＬおよびカムＣＭの軸位置に棒状アンテナＷＡを挿入する。この後、延長部ＥＸの端部にアンテナトップ（図示せず）を取付ける。
【００１６】
図４（ａ），（ｂ），（ｃ）は、図１ないし図３に示したカムＣＭの正面図、平面図および左側面図である。カムＣＭは、高さが低い擬似円筒形をしており、中心部をアンテナ穴２０が貫通している。
【００１７】
また、カムＣＭは、その円周方向の約２／３程度は薄肉部１１であり、約１／３程度は厚肉部１２である（図４（ｂ））とともに、高さ方向に上、下に突出した部分を有する（図４（ａ），（ｃ））。
【００１８】
このように、カムＣＭは、図４（ｂ）に示すように、平面形状が円形の一部が突出した非対称形状であるから、ホルダＨＬ中に挿入されるとホルダＨＬ内で州方向の回転力を受けても回転することがなく、開口部で規制される長手方向の移動経路内を往復運動のみ行う。
【００１９】
そして、この高さ方向に突出した部分の一方の端面には、斜めに切断されたカム面１２ａ、およびこのカム面１２ａの図４（ａ）における最も高い部分に連なって軸方向と直角な平坦面１２ｂが設けられており、カム面１２ａと薄肉部１１との間に繋ぎ面１２ｃが形成されている。
【００２０】
また、この高さ方向に突出した部分の他の端面は、軸方向と直角の平坦面１２ｄを形成し、かつ内周面はアンテナ穴２０よりも大きな穴が設けられていてかつテーパ状の傾斜面を経て端面１１ａに到る。
【００２１】
図５（ａ），（ｂ）は、カムＣＭを上、下斜め方向から見た状態を示したものである。
【００２２】
これらの図から分るように、薄肉部１１は、ほぼ円筒形状をなし、厚肉部１２が非円筒形状となっている。
【００２３】
そして、厚肉部１２の一方の端面に、カム面１２ａ、平坦面１２ｂが連続して設けられている。これらカム面１２ａおよび平坦面１２ｂに、切換スイッチに設けられたカムフォロワＣＦ（図１，図２参照）が当接してスイッチ切換操作をする。カムフォロワＣＦは、図示しない切換スイッチに内蔵されたバネにより一方向に付勢されており、カムＣＭによってこの付勢に抗する力が与えられて切換スイッチの切換動作が行われる。切換スイッチは、棒状アンテナの近傍、たとえば回路基板またはキャリアに設けられている。
【００２４】
また、厚肉部１２の他方の端面に、平坦面１２ｄが形成され、この平坦面１２ｄは、テーパ状の傾斜面およびアンテナ穴２０と同心でアンテナ穴２０よりも大径の円弧面１２ｅに連なっている。この円弧面１２ｅは、カムＣＭの端面１１ａに連なっており、この端面１１ａに棒状アンテナＷＡの端部に設けられたストッパＳＴの最大径部分が当接する。
【００２５】
図６は、カムＣＭと棒状アンテナＷＡの端部に設けられたストッパＳＴとの係合の様子を示したものである。棒状アンテナＷＡを引き出すと、カムＣＭの端面１１ａに、棒状アンテナＷＡの端部に設けられたストッパＳＴの最大径部が当接してカムＣＭを図示左方向に押上げる。これにより、カムフォロワＣＦ（図１，図２）が作用力を受けて切換スイッチＳＷを作動させる。
【００２６】
ここで、カムＣＭの厚肉部１２が薄肉部１１よりも軸方向長を長く構成しているため、カムＣＭはホルダＨＬの内周面によって良好にガイドされ、棒状アンテナの引出し、収納に伴う動作を円滑に行うことができる。
【００２７】
（変形例）
上記実施例では、カムＣＭの端面にカム面を形成しているが、他の面、たとえば周面に形成することもできる。
【００２８】
【発明の効果】
本発明は上述のように、棒状アンテナと内蔵アンテナとの切換使用する携帯情報端末用アンテナ装置におけるアンテナ切換え用スイッチを作動させるためのカムをリング状に構成したため、棒状アンテナの引出し時にカムに大きな力が作用してもカムが変形して棒状アンテナがカムから外れることがなく、棒状アンテナを常に安定して引出し、収納することができる。
【図面の簡単な説明】
【図１】携帯電話機に棒状アンテナを組込んだときの、本発明の一実施例の状態を示す説明図。
【図２】携帯電話機における棒状アンテナを一杯に引き出したときの、本発明の一実施例の状態を示す説明図。
【図３】本発明の一実施例におけるホルダとカムとの関係を示す説明図。
【図４】図４（ａ），（ｂ），（ｃ）は、本発明に係るカムの正面図、平面図および左側面図。
【図５】図５（ａ），（ｂ）は、図４に示したカムの斜め上方および斜め下方から見た状態を示す斜視図。
【図６】図４に示したカムと棒状アンテナのストッパとの係合の様子を示す説明図。
【図７】携帯電話機における従来のカムを用いたアンテナ切換機構を示す斜視図。
【図８】図７から棒状アンテナを除いた状態を示す斜視図。
【符号の説明】
ＣＭ　カム
ＣＦ　カムフォロワ
ＣＲ　キャリア
ＰＢ　回路基板
ＷＡ　棒状アンテナ
ＴＵ　チューブ
ＨＬ　ホルダ
ＥＸ　延長部
１１　薄肉部
１１ａ　端面
１２　厚肉部
１２ａ　カム面
１２ｂ　平坦面
１２ｃ　繋ぎ面
１２ｄ　平坦面
１２ｅ　円弧面
２０　貫通孔
【図１】
2004096367.tif 000003
【図２】
2004096367.tif 000004
【図３】
2004096367.tif 000005
【図４】
2004096367.tif 000006
【図５】
2004096367.tif 000007
【図６】
2004096367.tif 000008
【図７】
2004096367.tif 000009
【図８】
2004096367.tif 000010